(57)【特許請求の範囲】
【請求項１】
グロメットとピンとを含む固定クリップであって、
前記グロメットは、フランジ部と、このフランジ部の底面から軸方向に延出する脚部とを有し、前記脚部は、縦割りのスリットにより複数に分割されて、それぞれが拡開可能な分割脚片により構成されており、前記フランジ部の中央から前記分割脚片の内側にかけて、中空のピン挿入部が形成してあり、
前記分割脚片の先端部には、内側に突き出した縮径部が形成してあり、さらに前記分割脚片には、前記フランジ部から連続して軸方向に向かって前記縮径部の手前まで延びる切込み案内部が形成してあり、
一方、前記ピンは、頭部と、この頭部の底面から軸方向に延出し、前記ピン挿入部へ差し込まれる軸部とを有し、前記ピンにおける軸部の周面には、中間部領域が前記切り込み案内部に入り込むとともに、先端部領域が当該切り込み案内部の先端縁から抜け出て前記分割脚片の縮径部を押し拡げる突条が、軸方向に延在して形成してある、ことを特徴とする固定クリップ。
【請求項２】
アウターグロメットと、インナーグロメットと、ピンとを含む固定クリップであって、
前記インナーグロメットは、インナーフランジ部と、このインナーフランジ部の底面から軸方向に延出するインナー脚部とを有し、前記インナー脚部は、縦割りのインナースリットにより複数に分割されて、それぞれが拡開可能なインナー分割脚片により構成されており、前記インナーフランジ部の中央から前記インナー分割脚片の内側にかけて、中空のピン挿入部が形成してあり、
前記インナー分割脚片の先端部には、内側に突き出したインナー縮径部が形成してあり、さらに前記インナー分割脚片には、前記インナーフランジ部から連続して軸方向に向かって前記縮径部の手前まで延びる切込み案内部が形成してあり、
一方、前記ピンは、頭部と、この頭部の底面から軸方向に延出し、前記ピン挿入部へ差し込まれる軸部とを有し、前記ピンにおける軸部の周面には、中間部領域が前記切り込み案内部に入り込むとともに、先端部領域が当該切り込み案内部の先端縁から抜け出て前記インナー分割脚片の縮径部を押し拡げる突条が、軸方向に延在して形成してあり、
前記アウターグロメットは、アウターフランジ部と、このアウターフランジ部の底面から軸方向に延出するアウター脚部とを有し、前記アウター脚部は、縦割りのアウタースリットにより複数に分割されて、それぞれが拡開可能なアウター分割脚片により構成されており、前記アウターフランジ部の中央から前記アウター分割脚片の内側にかけて、中空のインナーグロメット挿入部が形成してあり、
前記インナー分割脚片は、前記インナーグロメット挿入部に差し込まれるとともに、前記ピンの軸部による拡開に伴い、前記アウター分割脚片を内側から押し拡げる、ことを特徴とする固定クリップ。
【請求項３】
前記インナー分割脚片は、前記アウタースリットをまたいで隣接する前記アウター分割脚片にそれぞれ当接し、当該各アウター分割脚片を押し拡げる配置としてあることを特徴とする請求項２の固定クリップ。
【請求項４】
前記アウター分割脚片の先端部には、内側に突き出したアウター縮径部が形成してあり、
前記インナー分割脚片は、前記アウター分割脚片における前記アウター縮径部以外の内面に当接して当該各アウター分割脚片を押し拡げる構成となっており、
且つ、インナーフランジ部には、前記ピン挿入部の開口縁部から前記インナースリットへ連続して、外径方向に切り込まれた溝部が形成してあり、
前記ピンの軸部には、前記溝部から前記インナースリットを通って前記アウター縮径部に到達し、当該アウター縮径部を内側から押し拡げる押圧部が突出形成してあることを特徴とする請求項３の固定クリップ。
【発明の詳細な説明】
【技術分野】
【０００１】
この発明は、例えば、自動車のガーニッシュのような被固定部材や、被固定パネルを、所定の固定パネルに固定するために用いられる固定クリップに関する。
【背景技術】
【０００２】
従来、この種の固定クリップは、特許文献１に開示されたように、グロメット（１）の分割脚片（４ａ）の内側に形成された挿入孔（７）内にピン（２）の軸部（６）を差し込んだとき、軸部（６）の周面（係合面（１４））が、分割脚片（４ａ）の内面に形成された係合爪（９）に係合して、各分割脚片（４ａ）を外方に拡開し、グロメット（１）のフランジ部（３）と各分割脚片（４ａ）との間で、２枚のパネル材（Ｐ１、Ｐ２）を締結する構成となっていた（特許文献１の段落「００１７」、図５等参照）。なお、本項目において、括弧内の符号は、特許文献１に記載されている符号である。
【０００３】
ここで、例えば、締結されているパネル材（Ｐ１、Ｐ２）の一方に対し、他方がめくり上げられたような場合、グロメット（１）には斜め方向に引き抜く力（以下、「こじり力」と称する。）が作用する。
上述した従来の固定クリップでは、ピン（２）の軸部（６）によって押し拡げられた分割脚片（４ａ）が、取付孔（Ｈ２）を貫通した根元部分から係合爪（９）までの広い領域で弾力的に撓む。そのため、分割脚片（４ａ）と、ピン（２）における軸部（６）の周面との間に大きな隙間が形成される。
そのため、上述したこじり力がグロメット（１）に作用したとき、分割脚片（４ａ）がピン（２）における軸部（６）の周面との間に形成された隙間の範囲で大きく撓み、へたりが生じやすかった。
【先行技術文献】
【特許文献】
【０００４】
【特許文献１】特開２００４−２６３８１１号公報
【発明の概要】
【発明が解決しようとする課題】
【０００５】
本発明は、上述した事情に鑑みてなされたもので、グロメットにこじり力が作用しても分割脚片は撓み量が小さく、へたりが生じにくい固定クリップの提供を目的とする。
【課題を解決するための手段】
【０００６】
上記目的を達成するために、請求項１の発明は、グロメットとピンとを含む固定クリップであって、
前記グロメットは、フランジ部と、このフランジ部の底面から軸方向に延出する脚部とを有し、前記脚部は、縦割りのスリットにより複数に分割されて、それぞれが拡開可能な分割脚片により構成されており、前記フランジ部の中央から前記分割脚片の内側にかけて、中空のピン挿入部が形成してあり、
前記分割脚片の先端部には、内側に突き出した縮径部が形成してあり、さらに前記分割脚片には、前記フランジ部から連続して軸方向に向かって前記縮径部の手前まで延びる切込み案内部が形成してあり、
一方、前記ピンは、頭部と、この頭部の底面から軸方向に延出し、前記ピン挿入部へ差し込まれる軸部とを有し、前記ピンにおける軸部の周面には、中間部領域が前記切り込み案内部に入り込むとともに、先端部領域が当該切り込み案内部の先端縁から抜け出て前記分割脚片の縮径部を押し拡げる突条が、軸方向に延在して形成してある、ことを特徴とする。
【０００７】
また、請求項２の発明は、アウターグロメットと、インナーグロメットと、ピンとを含む固定クリップであって、
前記インナーグロメットは、インナーフランジ部と、このインナーフランジ部の底面から軸方向に延出するインナー脚部とを有し、前記インナー脚部は、縦割りのインナースリットにより複数に分割されて、それぞれが拡開可能なインナー分割脚片により構成されており、前記インナーフランジ部の中央から前記インナー分割脚片の内側にかけて、中空のピン挿入部が形成してあり、
前記インナー分割脚片の先端部には、内側に突き出したインナー縮径部が形成してあり、さらに前記インナー分割脚片には、前記インナーフランジ部から連続して軸方向に向かって前記縮径部の手前まで延びる切込み案内部が形成してあり、
一方、前記ピンは、頭部と、この頭部の底面から軸方向に延出し、前記ピン挿入部へ差し込まれる軸部とを有し、前記ピンにおける軸部の周面には、中間部領域が前記切り込み案内部に入り込むとともに、先端部領域が当該切り込み案内部の先端縁から抜け出て前記インナー分割脚片の縮径部を押し拡げる突条が、軸方向に延在して形成してあり、
前記アウターグロメットは、アウターフランジ部と、このアウターフランジ部の底面から軸方向に延出するアウター脚部とを有し、前記アウター脚部は、縦割りのアウタースリットにより複数に分割されて、それぞれが拡開可能なアウター分割脚片により構成されており、前記アウターフランジ部の中央から前記アウター分割脚片の内側にかけて、中空のインナーグロメット挿入部が形成してあり、
前記インナー分割脚片は、前記インナーグロメット挿入部に差し込まれるとともに、前記ピンの軸部による拡開に伴い、前記アウター分割脚片を内側から押し拡げる、ことを特徴とする。
【０００８】
請求項３の発明は、請求項２の記載を前提として、
前記インナー分割脚片は、前記アウタースリットをまたいで隣接する前記アウター分割脚片にそれぞれ当接し、当該各アウター分割脚片を押し拡げる配置としてあることを特徴とする。
【０００９】
請求項４の発明は、請求項３の記載を前提として、
前記アウター分割脚片の先端部には、内側に突き出したアウター縮径部が形成してあり、
前記インナー分割脚片は、前記アウター分割脚片における前記アウター縮径部以外の内面に当接して当該各アウター分割脚片を押し拡げる構成となっており、
且つ、インナーフランジ部には、前記ピン挿入部の開口縁部から前記インナースリットへ連続して、外径方向に切り込まれた溝部が形成してあり、
前記ピンの軸部には、前記溝部から前記インナースリットを通って前記アウター縮径部に到達し、当該アウター縮径部を内側から押し拡げる押圧部が突出形成してあることを特徴とする。
【００１０】
請求項１の発明によれば、グロメットのピン挿入部へピンの軸部を差し込むと、ピンの軸部に形成した突条の中間部領域は、分割脚片に形成された切込み案内部に入り込み、さらに当該突条の先端部領域が切り込み案内部の先端縁から抜け出て分割脚片の縮径部を押し拡げる。かかる状態においては、既述したこじり力がグロメットに作用して分割脚片が弾力的に撓むと、分割脚片における切り込み案内部の先端縁が、軸部の突条に当接して、分割脚片のそれ以上の撓みが抑制される。
ここで、分割脚片における切り込み案内部の先端縁が、軸部の突条に当接する間の撓み量は、こじり力が作用していない通常状態における、当該切り込み案内部の先端縁と軸部の突条との間の径方向の隙間寸法に相当する。当該隙間寸法は、突条の中間領域が分割脚片の切り込み案内部に入り込んでいるため、既述した特許文献１の固定クリップのように、分割脚片の根本から先端の係合爪に至る広い領域でピンの軸部との間に形成される隙間に比べて小さい。
よって、分割脚片は、かかる小さな隙間の範囲で撓み量が抑制されるため、へたりにくく、耐久性が向上する。
【００１１】
請求項２の発明においても、インナーグロメットのピン挿入部へピンの軸部を差し込むと、ピンの軸部に形成した突条の中間部領域は、インナー分割脚片に形成された切込み案内部に入り込み、さらに当該突条の先端部領域が切り込み案内部の先端縁から抜け出てインナー分割脚片の縮径部を押し拡げる。かかる状態においては、既述したこじり力がインナーグロメットに作用してインナー分割脚片が弾力的に撓むと、インナー分割脚片における切り込み案内部の先端縁が、軸部の突条に当接して、インナー分割脚片のそれ以上の撓みが抑制される。
そして、請求項１の発明と同様に、切り込み案内部の先端縁と軸部の突条との間の小さな径方向の隙間の範囲で、インナー分割脚片の撓み量が抑制されるため、へたりにくく、耐久性が向上する。
【００１２】
また、請求項３の発明によれば、インナー分割脚片が、アウタースリットをまたいで隣接するアウター分割脚片にそれぞれ当接しているので、一つのアウター分割脚片を二つのインナー分割脚片で支持することになり、剛性が高まってアウター分割脚片を撓みにくくすることができる。
【００１３】
さらに、請求項４の発明によれば、ピンの軸部に突出形成した押圧部が、インナーフランジ部の溝部からインナースリットを通って、アウター分割脚片のアウター縮径部へ到達し、このアウター縮径部を内側から押し拡げる。このように、アウター分割脚片に対して、インナー分割脚片と、ピン軸部のアウター縮径部とで支持するため、いっそう剛性が高まり、アウター分割脚片を撓みにくくすることができる。
【発明の効果】
【００１４】
以上説明したように、本発明によれば、グロメットにこじり力が作用しても分割脚片は撓み量が小さく、へたりが生じにくい固定クリップを提供することができる。
【図面の簡単な説明】
【００１５】
【図１】本発明の第１実施形態に係る固定クリップの分解斜視図である。
【図２】本発明の第１実施形態に係るグロメットを示す図で、（ａ）（ｂ）は視点を変えた斜視図、（ｃ）は正面図、（ｄ）は斜め右側面図、（ｅ）は平面図、（ｆ）は底面図である。
【図３】本発明の第１および第２実施形態に係るピンを示す図で、（ａ）（ｂ）は視点を変えた斜視図、（ｃ）は正面図、（ｄ）は斜め左側面図である。
【図４】本発明の第１実施形態に係る固定クリップの使用方法を示す図で、（ａ）（ｂ）は視点を変えた斜視図、（ｃ）は正面図、（ｄ）は斜め左側面図である。
【図５】図４に続く、本発明の第１実施形態に係る固定クリップの使用方法を示す図で、（ａ）（ｂ）は視点を変えた斜視図、（ｃ）は正面図、（ｄ）は斜め左側面図である。
【図６】本発明の第１実施形態に係る固定クリップの作用効果を説明するための図である。
【図７】本発明の第２実施形態に係る固定クリップの分解斜視図である。
【図８】本発明の第２実施形態に係るインナーグロメットを示す図で、（ａ）（ｂ）は視点を変えた斜視図、（ｃ）は正面図、（ｄ）は斜め右側面図、（ｅ）は平面図、（ｆ）は底面図である。
【図９】本発明の第２実施形態に係るアウターグロメットを示す図で、（ａ）（ｂ）は視点を変えた斜視図、（ｃ）は正面図、（ｄ）は斜め右側面図、（ｅ）は平面図、（ｆ）は底面図である。
【図１０】本発明の第２実施形態に係る固定クリップの使用方法を示す図で、（ａ）（ｂ）は視点を変えた斜視図、（ｃ）は正面図、（ｄ）は斜め右側面図である。
【図１１】図９に続く、本発明の第２実施形態に係る固定クリップの使用方法を示す図で、（ａ）（ｂ）は視点を変えた斜視図、（ｃ）は正面図、（ｄ）は斜め右側面図である。
【図１２】図１０に続く、本発明の第２実施形態に係る固定クリップの使用方法を示す図で、（ａ）（ｂ）は視点を変えた斜視図、（ｃ）は正面図、（ｄ）は斜め右側面図、（ｅ）は底面図、（ｆ）は（ｄ）のＡ−Ａ線断面図である。
【発明を実施するための形態】
【００１６】
以下、この発明の実施の形態について図面を参照して詳細に説明する。
〔第１実施形態〕
図１乃至図６は、本発明の第１実施形態に係る固定クリップを示す図である。
同実施形態に係る固定クリップは、図１に示すように、樹脂成形されたグロメット１０とピン２０の２部品で構成されたいわゆる２ピースクリップである。
【００１７】
グロメット１０は、図２に示すように、円盤状のフランジ部１１と、このフランジ部１１の底面から軸方向に延出する脚部１２とで構成されている。脚部１２は、縦割りのスリット１３により複数に分割（図では４分割）されており、それぞれが弾力性をもって拡開可能な分割脚片１４を構成している。フランジ部１１の中央から分割脚片１４の内側にかけては、中空のピン挿入部１０ａが形成してある。また、分割脚片１４の先端部には、内側に突き出した縮径部１４ａが形成してある。
【００１８】
一方、ピン２０は、図３に示すように、円盤状の頭部２１と、この頭部２１の底面から軸方向に延出する軸部２２とで構成されている。このピン２０の軸部２２は、後述するように、グロメット１０のピン挿入部１０ａへ差し込まれて、分割脚片１４の縮径部１４ａを押し拡げる機能を有している。
【００１９】
さらに、本実施形態では、グロメット１０の分割脚片１４に、フランジ部１１から連続して縮径部１４ａに向かって、軸方向に延びる切込み案内孔１５（切込み案内部）が形成してある。この切込み案内孔１５は、分割脚片１４の裏面から表面に貫通している。そして、軸部２２の周面には、軸方向に延びる突条２３が形成してある。この突条２３は、分割脚片１４に形成した切込み案内孔１５に差し込むことができる寸法形状となっている。
【００２０】
なお、グロメット１０のフランジ部１１には、ピン挿入部１０ａの開口縁部からスリット１３へ連続して、外径方向に切り込まれた溝部１１ａが形成してあり、ピン２０の軸部２２には、この溝部１１ａからスリット１３に差し込まれる突条２４が形成してある。これら溝部１１ａと突条２４は、後述する第２実施形態の固定クリップと部品の共通化を図るために設けたものであって、本実施形態の固定クリップにおいては省略することもできる。
また、本実施形態のような２ピースクリップにあっては、グロメット１０のフランジ部１１は、後述する第２実施形態のアウターフランジ部３１と同様（図８参照）、大きな円盤状に形成してもよい。
【００２１】
上述した構成の固定クリップは、例えば、自動車のガーニッシュのような被固定部材や、被固定パネルを、所定の固定パネルに固定するために用いられる。図示しないが、これら固定対象となっている被固定部材や被固定パネルと固定パネルの双方には、固定クリップを差し込むための透孔が穿設してあり、双方の透孔を重ね合わせて、そこにグロメット１０の分割脚片１４を差し込んで装着する。差し込まれた分割脚片１４は、固定パネルの裏面側に突き出す。
【００２２】
次いで、図４に示すように、固定対象に装着されたグロメット１０のピン挿入部１０ａへ、フランジ部１１の中央開口部から、ピン２０の軸部２２を挿入する。このとき、グロメット１０のフランジ部１１から分割脚片１４に連続して形成した切込み案内孔１５に、ピン２０の軸部２２に形成した突条２３を差し込む。同時に、グロメット１０のフランジ部１１に形成した溝部１１ａ（図２（ｅ）参照）から、ピン２０の軸部２２に形成した突条２４を差し込む。
これにより、ピン２０の軸部２２に形成した突条２３は、分割脚片１４に形成した切込み案内孔１５に入り込む。また、ピン２０の軸部２２に形成した突条２４は、分割脚片１４の間に形成されたスリット１３内に配置される。
【００２３】
さらにピン２０を押し込むと、図５に示すように、ピン２０の軸部２２に形成した突条２３の先端部領域が、切り込み案内孔１５の先端縁から抜け出て、分割脚片１４の先端部に内側へ突き出して形成した縮径部１４ａに当接し、当該縮径部１４ａを押し拡げる。これにより、被固定部材や被固定パネルと固定パネルの双方（いずれも図示せず）が、グロメット１０のフランジ部１１と拡開した分割脚片１４との間に挟持されて、固定状態が実現する。
【００２４】
このとき、ピン２０の軸部２２に形成した突条２３が、分割脚片１４に形成された切込み案内孔１５に入り込んでいるため、分割脚片１４に周方向の外力（ねじりモーメント）が作用しても、突条２３が切込み案内孔１５の内面に当接し、分割脚片１４のねじれ変形を阻止することができる。
【００２５】
また、分割脚片１４における切り込み案内孔１５の先端縁と、軸部２２の突条２３との間の径方向の隙間寸法Ｄは、図６（ａ）に示すように、突条２３の中間領域が分割脚片１４の切り込み案内孔１５に入り込んでいるために小さい。
さて、図６（ｂ）に示すように、こじり力Ｐがグロメット１０に作用して分割脚片１４が弾力的に撓むと、分割脚片１４における切り込み案内孔１５の先端縁が、軸部２２の突条２３に当接して、分割脚片１４のそれ以上の撓みが抑制される。
よって、分割脚片１４は、かかる小さな隙間寸法Ｄの範囲で撓み量が抑制されるため、へたりにくく、耐久性が向上する。
【００２６】
〔第２実施形態〕
図７乃至図１２は、本発明の第２実施形態に係る固定クリップを示す図である。
同実施形態に係る固定クリップは、図７に示すように、樹脂成形されたアウターグロメット３０、インナーグロメット１０およびピン２０の３部品で構成されたいわゆる３ピースクリップである。
なお、本実施形態の固定クリップにおいて、先に示した第２実施形態の固定クリップと同一部分または相当する部分には同一符号を付してある。
【００２７】
インナーグロメット１０は、第１実施形態のグロメット１０とほぼ同じ構成をしている。すなわち、インナーグロメット１０は、図８に示すように、円盤状のインナーフランジ部１１と、このインナーフランジ部１１の底面から軸方向に延出するインナー脚部１２とで構成されている。インナー脚部１２は、縦割りのインナースリット１３により複数に分割（図では４分割）されており、それぞれが弾力性をもって拡開可能なインナー分割脚片１４を構成している。インナーフランジ部１１の中央からインナー分割脚片１４の内側にかけては、中空のピン挿入部１０ａが形成してある。また、インナー分割脚片１４の先端部には、内側に突き出したインナー縮径部１４ａが形成してある。
【００２８】
一方、ピン２０は、図３に示すように、円盤状の頭部２１と、この頭部２１の底面から軸方向に延出する軸部２２とで構成されている。このピン２０の軸部２２は、後述するように、インナーグロメット１０のピン挿入部１０ａへ差し込まれて、インナー分割脚片１４のインナー縮径部１４ａを押し拡げる機能を有している。
ピン２０における頭部２１の底面には、インナーグロメット１０のインナーフランジ部１１が配置される凹部空間２１ａが形成してある。
【００２９】
さらに、インナーグロメット１０のインナー分割脚片１４には、インナーフランジ部１１から連続して縮径部１４ａに向かって、軸方向に延びる切込み案内孔１５（切込み案内部）が形成してある。この切込み案内孔１５は、インナー分割脚片１４の裏面から表面に貫通している。そして、軸部２２の周面には、軸方向に延びる突条２３が形成してある。この突条２３は、インナー分割脚片１４に形成した切込み案内孔１５に差し込むことができる寸法形状となっている。
【００３０】
また、インナーグロメット１０のインナーフランジ部１１には、ピン挿入部１０ａの開口縁部からインナースリット１３へ連続して、外径方向に切り込まれた溝部１１ａが形成してあり、ピン２０の軸部２２には、この溝部１１ａを通してインナースリット１３に差し込まれる突条２４（押圧部）が形成してある。
【００３１】
さらに、本実施形態では、インナーグロメット１０のインナーフランジの裏面から、係止爪１６が延出して形成してある。係止爪１６は、インナー分割脚片１４の切込み案内孔１５と対向する外側位置に形成されており、弾力的に径方向へ撓むことができる。
【００３２】
アウターグロメット３０は、図９に示すように、円盤状のアウターフランジ部３１と、このアウターフランジ部３１の底面から軸方向に延出するアウター脚部３２とで構成されている。また、アウター脚部３２は、縦割りのアウタースリット３３により複数に分割（図では４分割）されており、それぞれが弾力性をもって拡開可能なアウター分割脚片３４を構成している。アウターフランジ部３１の中央からアウター分割脚片３４の内側にかけては、中空のインナーグロメット挿入部３０ａが形成してある。また、アウター分割脚片３４の先端部には、内側に突き出したアウター縮径部３４ａが形成してある。
さらに、本実施形態では、アウターフランジ部３１に、インナーグロメット挿入部３０ａの開口縁部からアウタースリット３３へ連続して、外径方向に切り込まれた溝部３１ａが形成してある。この溝部３１ａは、係止爪１６を挿通させるためのものである。
【００３３】
上述した構成の本実施形態の固定クリップも、例えば、自動車のガーニッシュのような被固定部材や、被固定パネルを、所定の固定パネルに固定するために用いられる。図示しないが、これら固定対象となっている被固定部材や被固定パネルと固定パネルの双方には、固定クリップを差し込むための透孔が穿設してあり、双方の透孔を重ね合わせて、そこにアウターグロメット３０のアウター分割脚片３４を差し込んで装着する。差し込まれたアウター分割脚片３４は、固定パネルの裏面側に突き出す。
【００３４】
次いで、図１０に示すように、固定対象に装着されたアウターグロメット３０のインナーグロメット挿入部３０ａへ、アウターフランジ部３１の中央開口部から、インナーグロメット１０の分割脚片１４を挿入する。このとき、アウターフランジ部３１に形成した溝部３１ａに、インナーグロメット１０の係止爪１６を差し込むと、係止爪１６は先端の鈎部がアウターフランジ部３１の底面に露出して、溝部３１ａの開口縁部に係止される。これにより、アウターグロメット３０からのインナーグロメット１０の抜けが阻止される。
【００３５】
続いて、図１１に示すように、アウターグロメット３０に装着されたインナーグロメット１０のピン挿入部１０ａへ、インナーフランジ部１１の中央開口部から、ピン２０の軸部２２を挿入する。このとき、インナーグロメット１０のインナーフランジ部１１からインナー分割脚片１４に連続して形成した切込み案内孔１５に、ピン２０の軸部２２に形成した突条２３を差し込む。同時に、インナーグロメット１０のフランジ部１１に形成した溝部１１ａ（図８（ｅ）参照）から、ピン２０の軸部２２に形成した突条２４を差し込む。
これにより、ピン２０の軸部２２に形成した突条２３は、インナー分割脚片１４に形成した切込み案内孔１５に入り込む。また、ピン２０の軸部２２に形成した突条２４は、インナー分割脚片１４の間に形成されたインナースリット１３内に配置される。
【００３６】
さらにピン２０を押し込むと、図１２に示すように、ピン２０の軸部２２に形成した突条２３の先端部領域が、インナー分割脚片１４の先端部に内側へ突き出して形成したインナー縮径部１４ａに当接し、当該インナー縮径部１４ａを押し拡げる（図５参照）。これに伴い、インナーグロメット１０のインナー分割脚片１４が、アウターグロメット３０におけるアウター分割脚片３４の内面に当接して、当該アウター分割脚片３４を押し拡げる。
ここで、インナー分割脚片１４は、アウタースリット３３をまたいで隣接するアウター分割脚片３４にそれぞれ当接するように、相互の位置関係が設定されている。よって、一つのアウター分割脚片３４を二つのインナー分割脚片１４で支持することになり、剛性が高まってアウター分割脚片３４を撓みにくくすることができる。
【００３７】
また、インナーグロメット１０のインナーフランジ部１１は、アウターグロメット３０におけるアウターフランジ部３１の上面に突き出して配置されることになる。このため、ピン２０における頭部２１の底面には、凹部空間２１ａが形成してあり、この凹部空間２１ａ内にインナーフランジ部１１が配置される。
【００３８】
さらに、ピン２０の軸部２２に形成した突条２４は、インナーフランジ部１１の溝部１１ａからインナースリット１３を通って、アウター分割脚片３４のアウター縮径部３４ａへ到達し、このアウター縮径部３４ａを内側から押し拡げる。このように、アウター分割脚片３４に対して、インナー分割脚片１４と、ピン２０の軸部２２におけるアウター縮径部３４ａとで支持するため、いっそう剛性が高まり、アウター分割脚片３４を撓みにくくすることができる。
これにより、図６（ａ）に示すように、被固定部材や被固定パネルＰ１と固定パネルＰ２の双方が、アウターグロメット３０のアウターフランジ部３１と、拡開したアウター分割脚片３４との間に挟持されて、固定状態が実現する。
【００３９】
そして、本実施形態においても先の第１実施形態と同様に、インナー分割脚片１４における切り込み案内孔１５の先端縁１５ａと、軸部２２の突条２３との間の径方向の隙間寸法Ｄ（図６（ａ）参照）は、突条２３の中間領域がインナー分割脚片１４の切り込み案内孔１５に入り込んでいるために小さい。
したがって、図６（ｂ）に示した場合と同様に、こじり力Ｔがグロメットに作用してインナー分割脚片１４が弾力的に撓むと、インナー分割脚片１４における切り込み案内孔１５の先端縁が、軸部２２の突条２３に当接して、インナー分割脚片１４のそれ以上の撓みが抑制される。
よって、インナー分割脚片１４は、かかる小さな隙間寸法Ｄの範囲で撓み量が抑制されるため、へたりにくく、耐久性が向上する。
【００４０】
しかも、ピン２０の軸部２２に形成した突条２３の中間部領域が、インナー分割脚片１４に形成された切込み案内孔１５に入り込んでいるため（図５参照）、インナー分割脚片１４に周方向の外力（ねじりモーメント）が作用しても、突条２３が切込み案内孔１５の内面に当接し、インナー分割脚片１４のねじれ変形を阻止することができる。
【００４１】
なお、本発明は上述した実施形態に限定されるものではなく、要旨を逸脱しない範囲で種々の変形または応用が可能である。
例えば、上述した各実施形態では、分割脚片１４（またはインナー分割脚片１４）の裏面から表面に貫通した切込み案内孔１５により「切込み案内部」を構成したが、これに限らず、分割脚片１４（またはインナー分割脚片１４）の裏面に開口する溝条（表面に貫通していない）で切込み案内部を構成することもできる。
【符号の説明】
【００４２】
１０：グロメット・インナーグロメット、１０ａ：ピン挿入部、１１：フランジ部・インナーフランジ部、１１ａ：溝部、１２：脚部・インナー脚部、１３：スリット・インナースリット、１４：分割脚片・インナー分割脚片、１４ａ：縮径部・インナー縮径部、１５：切込み案内孔（切込み案内部）、１６：係止爪、
２０：ピン、２１：頭部、２１ａ：凹部空間、２２：軸部、２３：突条、２４：突条（押圧部）、
３０：アウターグロメット、３０ａ：インナーグロメット挿入部、３１：アウターフランジ部、３１ａ：溝部、３２：アウター脚部、３３：アウタースリット、３４：アウター分割脚片、３４ａ：アウター縮径部
【図１】
0005408670.tif 000002
【図２】
0005408670.tif 000003
【図３】
0005408670.tif 000004
【図４】
0005408670.tif 000005
【図５】
0005408670.tif 000006
【図６】
0005408670.tif 000007
【図７】
0005408670.tif 000008
【図８】
0005408670.tif 000009
【図９】
0005408670.tif 000010
【図１０】
0005408670.tif 000011
【図１１】
0005408670.tif 000012
【図１２】
0005408670.tif 000013